(57)【要約】【課題】照射させたくない方向に光が反射することを抑制することができる照明器具を提供する。【解決手段】照明器具１００は、光源１１０と、筒部１２０と、拡散部１３０とを備える。光源１１０は、光を出射する。筒部１２０は、側部１２１と、遮光部１２２と、出射部１２３とを有する。側部１２１は、光源１１０から出射された光が通過する。遮光部１２２は、光を遮光する。出射部１２３は、光源１１０から出射された光が出射する。側部内に光通過領域Ｒ１を含む。光通過領域Ｒ１に、低反射面Ｓ２と、高反射面Ｓ１とが形成される。高反射面Ｓ１は、低反射面Ｓ２よりも反射率が高い。高反射面Ｓ１の少なくとも一部は、光通過領域Ｒ１のうち遮光部１２２に対応する領域Ｒ２にある。低反射面Ｓ２の少なくとも一部は、光通過領域Ｒ１のうち出射部１２３に対応する領域Ｒ３にある。【選択図】図２
2019192531.tif 000002
【特許請求の範囲】
【請求項１】
光を出射する光源と、
筒状の筒部と、
前記光源の光軸に対して前記光源に向かうように傾斜しており、光を拡散する拡散部と
を備え、
前記筒部は、
前記光源から出射された光が通過する側部と、
光を遮光する遮光部と、
前記光源から出射された光が出射する出射部と
を有し、
前記側部内に光通過領域を含み、
前記光通過領域に、低反射面と、前記低反射面よりも反射率が高い高反射面とが形成され、
前記高反射面の少なくとも一部は、前記光通過領域のうち前記遮光部に対応する領域にあり、
前記低反射面の少なくとも一部は、前記光通過領域のうち前記出射部に対応する領域にある、照明器具。
【請求項２】
光を反射する反射部材をさらに備え、
前記側部は内周面を有し、
前記反射部材は前記内周面に取り付けられ、
前記反射部材は、前記出射部に対応する領域に途切れた形状を有する、請求項１に記載の照明器具。
【請求項３】
前記出射部は第１方向に光を出射し、
前記反射部材は前記高反射面を有し、
前記高反射面の法線方向が、前記第１方向と反対方向の第２方向に向かわないように前記反射部材は取り付けられている、請求項２に記載の照明器具。
【請求項４】
前記光軸に平行な方向から見た平面視において前記反射部材は多角形状である、請求項２または請求項３に記載の照明器具。
【請求項５】
前記光軸に平行な方向から見た平面視において前記反射部材は円弧状である、請求項２または請求項３に記載の照明器具。
【請求項６】
前記反射部材は板状である、請求項２から請求項５のいずれか１項に記載の照明器具。
【発明の詳細な説明】
【技術分野】
【０００１】
本発明は、照明器具に関する。
【背景技術】
【０００２】
特許文献１に記載された照明器具は、ウォールウォッシャーダウンライトであり、天井に設置される。特許文献１に記載された照明器具は、面状光源と、リフレクター（反射板）と、拡散板とを備える。リフレクターは、椀状に形成されている。リフレクターは、面状光源の下方を覆うように配設されている。
【先行技術文献】
【特許文献】
【０００３】
【特許文献１】特開２０１６−５１５３０号公報
【発明の概要】
【発明が解決しようとする課題】
【０００４】
しかしながら、特許文献１に記載された照明器具では、全周にわたって反射板が設けられている。したがって、特許文献１に記載された照明器具では、照射させたくない方向にも光が反射する可能性がある。例えば、壁に向かう方向とは反対方向にも光が反射する可能性がある。
【０００５】
本発明は上記課題に鑑みてなされたものであり、その目的は照射させたくない方向に光が反射することを抑制することができる照明器具を提供することにある。
【課題を解決するための手段】
【０００６】
本発明に開示する照明器具は、光源と、筒部と、拡散部とを備える。前記光源は、光を出射する。前記筒部は、筒状である。前記拡散部は、前記光源の光軸に対して前記光源に向かうように傾斜している。前記拡散部は、光を拡散する。前記筒部は、側部と、遮光部と、出射部とを有する。前記側部は、前記光源から出射された光が通過する。前記遮光部は、光を遮光する。前記出射部は、前記光源から出射された光が出射する。前記側部内に光通過領域を含む。前記光通過領域に、低反射面と、高反射面とが形成される。前記高反射面は、前記低反射面よりも反射率が高い。前記高反射面の少なくとも一部は、前記光通過領域のうち前記遮光部に対応する領域にある。前記低反射面の少なくとも一部は、前記光通過領域のうち前記出射部に対応する領域にある。
【０００７】
本発明に開示する照明器具において、光を反射する反射部材をさらに備えることが好ましい。前記側部は内周面を有することが好ましい。前記反射部材は前記内周面に取り付けられることが好ましい。前記反射部材は、前記出射部に対応する領域に途切れた形状を有することが好ましい。
【０００８】
本発明に開示する照明器具において、前記出射部は第１方向に光を出射することが好ましい。前記反射部材は前記高反射面を有することが好ましい。前記高反射面の法線方向が、第２方向に向かわないように前記反射部材は取り付けられていることが好ましい。前記第２方向は、前記第１方向と反対方向であることが好ましい。
【０００９】
本発明に開示する照明器具において、前記光軸に平行な方向から見た平面視において前記反射部材は多角形状であることが好ましい。
【００１０】
本発明に開示する照明器具において、前記光軸に平行な方向から見た平面視において前記反射部材は円弧状であることが好ましい。
【００１１】
本発明に開示する照明器具において、前記反射部材は板状であることが好ましい。
【発明の効果】
【００１２】
本発明に係る照明器具によれば、照射させたくない方向に光が反射することを抑制することができる。
【図面の簡単な説明】
【００１３】
【図１】本発明の実施形態に係る照明器具の斜視図である。
【図２】本発明の実施形態に係る照明器具の断面図である。
【図３】照明器具を斜め下方から視た分解斜視図である。
【図４】（ａ）は、反射部材の斜視図である。（ｂ）は、反射部材と筒部との模式的な平面図である。
【図５】反射部材と筒部との模式的な平面図である。
【図６】反射部材と筒部との模式的な平面図である。
【発明を実施するための形態】
【００１４】
以下、本発明の実施形態について、図面を参照しながら説明する。なお、図中、同一または相当部分については同一の参照符号を付して説明を繰り返さない。また、本明細書において、三次元直交座標系のＸ軸およびＹ軸は水平線に平行であり、Ｚ軸は鉛直線に平行である。Ｚ軸の正方向は、重力方向と反対方向であり、上方向を示し、Ｚ軸の負方向は、重力方向であり、下方向を示す。
【００１５】
図１および図２を参照して、本発明の実施形態に係る照明器具１００について説明する。図１は、本発明の実施形態に係る照明器具１００の斜視図である。図２は、本発明の実施形態に係る照明器具１００の断面図である。
【００１６】
図１に示すように、照明器具１００は、光源１１０と、筒部１２０と、拡散部１３０と、光源保持部１４０と、枠部１５０と、取付部１７０と、電源接続部１８０とを備える。また、図２に示すように、照明器具１００は、反射部材１６０をさらに備える。なお、図２では、図面の簡略化のため、取付部１７０と、電源接続部１８０とを省略している。
【００１７】
照明器具１００は、例えば、ウォールウォッシャーライトである。照明器具１００は、例えば、室内の天井に取り付けられる。照明器具１００の照明対象物は、例えば、室内の壁である。また、照明器具１００の照明領域は、例えば、壁の壁面である。
【００１８】
光源１１０は、光を出射する。ここでは、光源１１０は、下方向に向かって光を出射する。光源１１０の光軸ＬＡはＺ方向に平行である。例えば、光源１１０は白熱電球である。あるいは、光源１１０は、発光ダイオード（Ｌｉｇｈｔ  Ｅｍｉｔｔｉｎｇ  Ｄｉｏｄｅ：ＬＥＤ）であってもよい。
【００１９】
筒部１２０は筒状である。筒部１２０は、例えば、円筒状である。筒部１２０は、側部１２１と、遮光部１２２と、出射部１２３と、鍔部１２４とを有する。筒部１２０は、例えば、金属で形成されている。
【００２０】
側部１２１は、光源１１０から出射された光が通過する。側部１２１は、内周面１２５を有する。内周面１２５は、光を吸収し易い色彩を有することが好ましい。例えば、内周面１２５を黒色の素材で形成されてもよい。また、例えば、内周面１２５には、黒色塗装が施されてもよい。遮光部１２２は、光を遮光する。出射部１２３は、光源１１０から出射された光が出射する。鍔部１２４は、側部１２１の下端の周囲を囲む。例えば、鍔部１２４は、側部１２１に接続し、径方向外側に延びる。
【００２１】
拡散部１３０は、光を拡散する。拡散部１３０は、例えば、拡散板である。拡散部１３０は、板状である。図２に示すように、拡散部１３０は、光源１１０の光軸ＬＡに対して光源１１０に向かうように傾斜している。また、拡散部１３０は、出射部１２３に対応する位置に位置する。したがって、拡散部１３０に入射した光は、第１方向Ｄ１へ出射される。第１方向Ｄ１は、壁に向かう方向である。したがって、照明器具１００は、壁を照射することができる。
【００２２】
光源保持部１４０は、光源１１０を保持する。光源保持部１４０は、ソケット１４０ｓとアーム部１４０ａとを有する。光源１１０は、光源保持部１４０のソケット１４０ｓに取り付けられる。アーム部１４０ａは、細長い板状部材から形成される。アーム部１４０ａは、光源１１０のＸ方向側方およびＺ方向上方に位置する。アーム部１４０ａは、板状部材を折り曲げることによって形成される。
【００２３】
枠部１５０は、本体部１５２と、鍔部１５４とを有する。本体部１５２には、貫通孔が設けられる。本体部１５２は、貫通孔の設けられた略筒形状である。例えば、本体部１５２は略円筒形状である。鍔部１５４は、本体部１５２の下端の周囲を囲む。例えば、鍔部１５４は、本体部１５２に接続し、径方向外側に延びる。本体部１５２および鍔部１５４は一体的に設けられる。枠部１５０は、筒部１２０の外側に位置する。
【００２４】
反射部材１６０は、光源１１０から出射された光を反射する。反射部材１６０は、例えば、金属で形成されている。反射部材１６０は、例えば、板状である。反射部材１６０は、高反射面Ｓ１を有する。高反射面Ｓ１は、光を反射し易い色彩を有することが好ましい。例えば、高反射面Ｓ１を白色の素材で形成してもよい。また、例えば、高反射面Ｓ１には、白色塗装が施されてもよい。反射部材１６０は、内周面１２５に取り付けられる。反射部材１６０は、出射部１２３に対応する領域Ｒ３に途切れた形状を有する。したがって、反射部材１６０に反射した光は、拡散部１３０に入射する。そして、拡散部１３０に入射した光は拡散部１３０によって拡散され、出射部１２３から出射される。また、反射部材１６０は、途切れた形状を有するため、使用される部材の量を抑制することができる。その結果、反射部材１６０の製造コストを削減することができる。
【００２５】
取付部１７０により、照明器具１００は、天井の取付穴に埋め込んで取り付けられる。取付部１７０は、取付バネ１７０ａおよび取付バネ１７０ｂを含む。取付バネ１７０ａおよび取付バネ１７０ｂは、枠部１５０の外周面に配置される。例えば、取付バネ１７０ａおよび取付バネ１７０ｂは、枠部１５０の外周面に略均等に配置される。
【００２６】
電源接続部１８０は、電源線と接続できる。電源接続部１８０は、アーム１８２と、接続端子１８４とを含む。アーム１８２は、枠部１５０の外周面に取り付けられる。例えば、アーム１８２は、光軸ＬＡを基準として枠部１５０の外周面のうちの取付バネ１７０ａおよび取付バネ１７０ｂとは９０°離れた位置に配置される。接続端子１８４は、アーム１８２の端部に取り付けられる。
【００２７】
照明器具１００は、側部１２１内に光通過領域Ｒ１を含む。光通過領域Ｒ１は、光源１１０から出射された光が通過する領域を示す。光通過領域Ｒ１に、低反射面Ｓ２と、高反射面Ｓ１とが形成される。高反射面Ｓ１は、低反射面Ｓ２よりも反射率が高い。本実施形態では、高反射面Ｓ１は、反射部材１６０の高反射面Ｓ１を示す。低反射面Ｓ２は、側部１２１の内周面１２５のうち反射部材１６０が位置しない面を示す。
【００２８】
高反射面Ｓ１の少なくとも一部は、光通過領域Ｒ１のうち遮光部１２２に対応する領域Ｒ２にある。したがって、領域Ｒ２に入射した光を効率よく反射することができる。その結果、第１方向Ｄ１に光を効率よく出射することができる。
【００２９】
一方、低反射面Ｓ２の少なくとも一部は、光通過領域Ｒ１のうち出射部１２３に対応する領域Ｒ３にある。したがって、領域Ｒ３に入射した光が反射することを抑制することができる。その結果、第２方向Ｄ２に光が反射されることを抑制することができる。
【００３０】
図２を参照して、光源１１０の下端中央から出射される複数の光の進行経路を説明する。光Ｌ１は、高反射面Ｓ１で反射し第１方向Ｄ１に向かい出射部１２３から出射される光の一例を示す。光Ｌ１は、高反射面Ｓ１に反射するため、光Ｌ１の成分のほとんどが第１方向Ｄ１に向かい出射部１２３から出射される。したがって、第１方向Ｄ１に光を効率よく出射することができる。
【００３１】
光Ｌ２は、高反射面Ｓ１で反射し第１方向Ｄ１に向かい低反射面Ｓ２に到達する光の一例を示す。光Ｌ２Ａは、光Ｌ２が低反射面Ｓ２で反射し、第２方向Ｄ２に向かい出射部１２３から出射される光の一例を示す。光Ｌ２Ａは、低反射面Ｓ２に反射するため、光Ｌ２の成分のうち低い割合でしか反射しない。したがって、光Ｌ２Ａは、光Ｌ１よりも低光束になる。その結果、第２方向Ｄ２に光が反射されることを抑制することができる。
【００３２】
光Ｌ３は高反射面Ｓ１で反射し第１方向Ｄ１に向かい遮光部１２２に到達する光の一例を示す。遮光部１２２に到達した光は、遮光部１２２で遮光される。
【００３３】
光Ｌ４は、光源１１０から低反射面Ｓ２に到達する光の一例を示す。光Ｌ４Ａは、光Ｌ４が低反射面Ｓ２で反射し、第２方向Ｄ２に向かい遮光部１２２に到達する光の一例を示す。遮光部１２２に到達した光は、遮光部１２２で遮光される。
【００３４】
続いて、図１〜図３を参照して、本発明の実施形態に係る照明器具１００についてさらに説明する。図３は、照明器具１００を斜め下方から視た分解斜視図である。
【００３５】
図３に示すように、筒部１２０は、２つ貫通孔１２７をさらに有する。アーム部１４０ａは、２つ貫通孔１４２と、２つ固定部材１４４とをさらに有する。固定部材１４４は、ボルト１４４ａと、ナット１４４ｂとを含む。また、反射部材１６０は、２つ貫通孔１６２をさらに有する。固定部材１４４によって、筒部１２０と、アーム部１４０ａと、反射部材１６０とが固定される。詳しくは、ボルト１４４ａを貫通孔１４２、貫通孔１６２および貫通孔１２７に貫通させて、ナット１４４ｂでとめることによって、筒部１２０と、アーム部１４０ａと、反射部材１６０とが固定される。
【００３６】
筒部１２０は、さらに３つの係合孔１２８を有する。枠部１５０は、さらに３つの取付バネ１５６を有する。係合孔１２８に取付バネ１５６を係合させることによって、枠部１５０は筒部１２０に取り付けられる。
【００３７】
図４および図５を参照して、反射部材１６０についてさらに説明する。図４（ａ）は、反射部材１６０の斜視図である。図４（ｂ）は、反射部材１６０と筒部１２０との模式的な平面図である。図４（ｂ）において、法線方向Ｄ３は、高反射面Ｓ１の法線方向を示す。図４（ｂ）において、反射部材１６０と筒部１２０との関係を示すために、他の部材は省略している。図５は、反射部材１６０と筒部１２０との模式的な平面図である。図５において、反射部材１６０と筒部１２０との関係を示すために、他の部材は省略している。
【００３８】
図４（ａ）および図４（ｂ）に示すように、反射部材１６０は、複数の高反射面Ｓ１を含む。複数の高反射面Ｓ１は、第１高反射面Ｓ１ａと、第２高反射面Ｓ１ｂと、第３高反射面Ｓ１ｃと、第４高反射面Ｓ１ｄと、第５高反射面Ｓ１ｅとを含む。第１高反射面Ｓ１ａと第５高反射面Ｓ１ｅとは台形状である。第２高反射面Ｓ１ｂと、第３高反射面Ｓ１ｃと、第４高反射面Ｓ１ｄとは矩形状である。
【００３９】
第１高反射面Ｓ１ａの下端と、第５高反射面Ｓ１ｅの下端とは、Ｘ軸方向に対して傾斜している。反射部材１６０が筒部１２０に取り付けられた場合、第１高反射面Ｓ１ａの下端と、第５高反射面Ｓ１ｅの下端とは、拡散部１３０に接触する。したがって、第１高反射面Ｓ１ａの下端と、第５高反射面Ｓ１ｅの下端によって、拡散部１３０の傾斜角が規定される。
【００４０】
図４（ｂ）に示すように、光軸ＬＡに平行な方向から見た平面視において反射部材１６０は多角形状である。したがって、反射部材１６０は、例えば、板金を折り曲げることによって容易に製造することができる。
【００４１】
また、高反射面Ｓ１の法線方向Ｄ３が、第２方向Ｄ２に向かわないように反射部材１６０は筒部１２０に取り付けられている。したがって、高反射面Ｓ１によって、第２方向Ｄ２へ光が反射されることを抑制することができる。その結果、照射させたくない方向に光が反射することを抑制することができる。
【００４２】
図５に示すように、高反射面Ｓ１の少なくとも一部は光通過領域Ｒ１のうち遮光部１２２に対応する領域Ｒ２にある。本実施形態では、複数の高反射面Ｓ１のうち、第２高反射面Ｓ１ｂと、第３高反射面Ｓ１ｃと、第４高反射面Ｓ１ｄとが領域Ｒ２にある。したがって、領域Ｒ２に入射した光を効率よく反射することができる。その結果、第１方向Ｄ１に光を効率よく出射することができる。
【００４３】
一方、低反射面Ｓ２の少なくとも一部は、光通過領域Ｒ１のうち出射部１２３に対応する領域Ｒ２にある。したがって、領域Ｒ３に入射した光が反射することを抑制することができる。その結果、第２方向Ｄ２に光が反射されることを抑制することができる。
【００４４】
以上、図４および図５を参照して説明したように、反射部材１６０は、高反射面Ｓ１を有する。高反射面Ｓ１の法線方向Ｄ３が、第１方向Ｄ１と反対方向の第２方向Ｄ２に向かわないように反射部材１６０は取り付けられている。したがって、高反射面Ｓ１によって、第２方向Ｄ２へ光が反射されることを抑制することができる。その結果、照射させたくない方向に光が反射することを抑制することができる。例えば、照明器具１００を天井面における壁面に近い位置に設置した場合、居室空間側（すなわち、照射させたくない方向）への反射光を少なくすることで、居室空間にいる人が眩しさを感じるのを防止できる。
【００４５】
なお、図１〜図５を参照して説明した照明器具１００では、光軸ＬＡに平行な方向から見た平面視において反射部材１６０は多角形状であったが、光軸ＬＡに平行な方向から見た平面視において反射部材１６０は円弧状であってもよい。
【００４６】
図６を参照して反射部材１６０について説明する。図６は、反射部材１６０と筒部１２０との模式的な平面図である。図６において、反射部材１６０と筒部１２０との関係を示すために、他の部材は省略している。
【００４７】
図６に示すように、光軸ＬＡに平行な方向から見た平面視において反射部材１６０は円弧状である。本実施形態では、光軸ＬＡに平行な方向から見た平面視において反射部材１６０は半円状である。したがって、第１方向Ｄ１に向けて効率よく配光することができる。
【００４８】
以上、図面（図１〜図６）を参照しながら本発明の実施形態を説明した。但し、本発明は、上記の実施形態に限られるものではなく、その要旨を逸脱しない範囲で種々の態様において実施することが可能である（例えば、下記に示す（１）〜（４））。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の材質や形状、寸法等は一例であって、特に限定されるものではなく、本発明の効果から実質的に逸脱しない範囲で種々の変更が可能である。
【００４９】
（１）図１〜図６を参照して説明した照明器具１００では、反射部材１６０を備えていたが、本発明はこれに限定されない。照明器具１００は、反射部材１６０を備えていなくてもよい。例えば、筒部１２０の内周面１２５おいて、高反射面Ｓ１と低反射面Ｓ２とを有していてもよい。例えば、光通過領域Ｒ１のうち遮光部１２２に対応する領域Ｒ２に位置する内周面１２５に白色塗装を施して反射率が高くなるようにしてもよい。一方、光通過領域Ｒ１のうち出射部１２３に対応する領域Ｒ３に位置する内周面１２５に黒色塗装を施して反射率が低くなるようにしてもよい。
【００５０】
（２）図１〜図６を参照して説明した照明器具１００は、反射部材１６０の高反射面Ｓ１は連続していたが、本発明はこれに限定されない。例えば、反射部材１６０の高反射面Ｓ１は分離していてもよい。
【００５１】
（３）図１〜図６を参照して説明した照明器具１００は、高反射面Ｓ１の法線方向Ｄ３が、第２方向Ｄ２に向かわないように反射部材１６０は筒部１２０に取り付けられていたが、本発明はこれに限定されない。例えば、高反射面Ｓ１の法線方向Ｄ３の一部が第２方向Ｄ２に向かうように反射部材１６０は筒部１２０に取り付けられてもよい。
【００５２】
（４）図１〜図６を参照して説明した照明器具１００は、高反射面Ｓ１は、光通過領域Ｒ１のうち遮光部１２２に対応する領域Ｒ２および出射部１２３に対応する領域Ｒ３にあったが、本発明はこれに限定されない。例えば、高反射面Ｓ１は、光通過領域Ｒ１のうち遮光部１２２に対応する領域Ｒ２のみにあり、出射部１２３に対応する領域Ｒ３には無くてもよい。
【符号の説明】
【００５３】
１００    照明器具
１１０    光源
１２０    筒部
１２１    側部
１２２    遮光部
１２３    出射部
１２５    内周面
１３０    拡散部
Ｄ１      第１方向
Ｄ２      第２方向
Ｄ３      法線方向
ＬＡ      光軸
Ｒ１      光通過領域
Ｒ２      領域
Ｒ３      領域
Ｓ１      高反射面
Ｓ２      低反射面
【図１】
2019192531.tif 000003
【図２】
2019192531.tif 000004
【図３】
2019192531.tif 000005
【図４】
2019192531.tif 000006
【図５】
2019192531.tif 000007
【図６】
2019192531.tif 000008